(57)【要約】【解決手段】  透析用監視装置に透析液を供給する透析液供給装置１は、浄水と透析原液とを混合させて透析液を調製する第１、第２混合タンク２，３と、第１、第２混合タンクで調製した透析液を貯留するする貯液タンク４と、第１、第２混合タンクと貯液タンクとの間に設けられた弁手段としての第１、第２三方弁２１，２２とを備えている。  弁手段を切り換えて、第１混合タンクと貯液タンクとが相互に連通されると、貯液タンクは満杯状態となって、透析液が貯液タンク、第１補給通路、第１混合タンクに渡って貯留されるようになり、その後第１混合タンクが空となって貯液タンクの透析液が所定量まで減少したら、弁手段を切り換えて、第２混合タンクと貯液タンクとを連通させるようになっている。【効果】  貯液タンクの容量を小さくすることができ、透析液供給装置を小型化することが可能となる。【選択図】  図２
2008168078.tif 000002
【特許請求の範囲】
【請求項１】
透析液を貯留する貯液タンクと、貯液タンクに接続されて透析液を送液させる透析液通路と、浄水と透析原液とを混合させて透析液を調製する２つの混合タンクと、各混合タンクと貯液タンクとを連通させる補給通路と、補給通路に設けられて各混合タンクと貯液タンクとの連通を切り換える弁手段とを備え、
上記弁手段により各混合タンクと貯液タンクとを交互に連通させて、一方の混合タンクで透析液を調製する間に、他方の混合タンクから貯液タンクに透析液を補給し、併せて貯液タンクから透析液通路を介して透析液を供給するようにした透析液供給装置において、
上記貯液タンクは上部が閉鎖されるとともに内部に透析液を充満させて収容可能となっており、上記弁手段が貯液タンクと一方の混合タンクとを連通させると、透析液を貯液タンクと補給通路と当該一方の混合タンクとによって貯留し、
上記一方の混合タンクから全ての透析液が排出されたら、弁手段を切り換えて貯液タンクと他方の混合タンクとが連通するようにしたことを特徴とする透析液供給装置。
【請求項２】
上記２つの混合タンクの容量が同一であって、かつ貯液タンクの容量を上記２つの混合タンクの容量の合計よりも少なくしたことを特徴とする請求項１に記載の透析液供給装置。
【発明の詳細な説明】
【技術分野】
【０００１】
本発明は血液透析を行う透析用監視装置等に透析液を供給する透析液供給装置に関し、詳しくは透析液を貯留する貯液タンクと、浄水と透析原液とを混合させて透析液を調製する２つの混合タンクとを備え、一方の混合タンクで透析液を調製する間に、他方の混合タンクから貯液タンクに透析液を補給するようにした透析液供給装置に関する。
【背景技術】
【０００２】
従来、複数の患者に血液透析を行うことを目的として、病院等には複数台の透析用監視装置が設置されており、これらの透析用監視装置には以下のような透析液供給装置が透析液を供給するようになっている。
この透析液供給装置は、透析液を貯留する貯液タンクと、貯液タンクに接続されて透析液を送液させる透析液通路と、浄水と透析原液とを混合させて透析液を調製する２つの混合タンクと、各混合タンクと貯液タンクとを連通させる補給通路と、補給通路に設けられて各混合タンクと貯液タンクとの連通を切り換える弁手段とを備えている。
そして上記弁手段により各混合タンクと貯液タンクとを交互に連通させて、一方の混合タンクで透析液を調製する間に、他方の混合タンクから貯液タンクに透析液を補給し、併せて貯液タンクから透析液通路を介して透析液を供給している。（特許文献１）
【特許文献１】特公平５−３４９８８号公報
【発明の開示】
【発明が解決しようとする課題】
【０００３】
ここで、上記特許文献１の透析液供給装置では、透析液の供給速度を約１０Ｌ／ｍｉｎに設定した場合、上記混合タンクに約１０Ｌ／ｍｉｎの割合で浄水を供給して透析液の調製を行っている。
この様に透析液の供給速度と浄水の調製速度とがほぼ同じである場合、透析液の供給が中断することがないよう、貯液タンクには常時少なくとも混合タンク１つ分の透析液が貯留されるようになっており、これに追加して混合タンク１つ分の透析液が補給されるようになっている。
その結果、上記特許文献１における貯液タンクにはおよそ混合タンク２つ分の透析液を貯留できる容量が必要となり、透析液供給装置の小型化を阻害する要因となっていた。また透析液の供給能力を高めようとした場合、装置をさらに大型化しなければならないという問題があった。
このような問題に鑑み、本発明は上記貯液タンクの容量を小さくすることができ、これに伴って透析液供給装置自体を小型に製造することが可能な透析液供給装置を提供するものである。
【課題を解決するための手段】
【０００４】
すなわち、本発明の透析液供給装置は、透析液を貯留する貯液タンクと、貯液タンクに接続されて透析液を送液させる透析液通路と、浄水と透析原液とを混合させて透析液を調製する２つの混合タンクと、各混合タンクと貯液タンクとを連通させる補給通路と、補給通路に設けられて各混合タンクと貯液タンクとの連通を切り換える弁手段とを備え、
上記弁手段により各混合タンクと貯液タンクとを交互に連通させて、一方の混合タンクで透析液を調製する間に、他方の混合タンクから貯液タンクに透析液を補給し、併せて貯液タンクから透析液通路を介して透析液を供給するようにした透析液供給装置において、
上記貯液タンクは上部が閉鎖されるとともに内部に透析液を充満させて収容可能となっており、上記弁手段が貯液タンクと一方の混合タンクとを連通させると、透析液を貯液タンクと補給通路と当該一方の混合タンクとによって貯留し、
上記一方の混合タンクから全ての透析液が排出されたら、弁手段を切り換えて貯液タンクと他方の混合タンクとが連通するようにしたことを特徴としている。
【発明の効果】
【０００５】
上記発明によると、一方の混合タンクと貯液タンクとが補給通路を介して連通した状態で、透析液を貯液タンクと補給通路と該一方の混合タンクとに亘って貯溜することができる。
このため、上記貯液タンクの容量が小さくても貯液タンクからは安定して透析液を供給することができ、貯液タンクの容量を小さくすることで透析液供給装置自体も小型化することができる。
【発明を実施するための最良の形態】
【０００６】
以下図示実施例について説明すると、図１は透析液供給装置１を示し、この透析液供給装置１は下流側に設けられた図示しない複数台の透析用監視装置等の透析液を使用する装置に透析液を送液する装置となっている。
透析液供給装置１はその内部で透析液を調製する２つの第１、第２混合タンク２，３と、これら第１、第２混合タンク２，３で調製された透析液を貯留するとともに、上記透析用監視装置に透析液を供給する貯液タンク４とを備えている。
また透析液供給装置１には後述する弁手段やポンプ等が備えられており、これらを含めて透析液供給装置１は図示しない制御手段によって制御されるようになっている。
さらに透析液供給装置１にはそれぞれ図示しないが、浄水を供給する給水手段、透析原液としてのＡ液（カルシウム塩およびマグネシウム塩含有濃厚液）を供給するＡ液供給手段、Ｂ液（重炭酸塩含有濃厚液）を供給するＢ液供給手段、洗浄液を供給する洗浄液供給手段が接続されている。
【０００７】
上記給水手段と上記第１、第２混合タンク２，３との間には浄水を流通させる給水通路５が配設され、この給水通路５は途中で分岐して一方の第１給水通路５Ａは上記第１混合タンク２に、第２給水通路５Ｂは第２混合タンク３に、それぞれ接続されている。
また給水通路５には上記Ａ液供給手段に接続されたＡ液通路６、Ｂ液供給手段に接続されたＢ液通路７、洗浄液供給手段に接続された洗浄液通路８が上記分岐点よりも上流側で接続され、これらの接続された位置よりもさらに上流側には、制御手段によって制御される給水弁９および定流量弁１０が設けられている。
上記給水弁９は制御手段によって制御されて第１、第２混合タンク２，３への浄水の供給と停止を行い、定流量弁１０は給水通路５を流通する浄水の流量を一定流量に保つようになっている。
さらに、上記第１、第２給水通路５Ａ，５Ｂには、それぞれ第１、第２混合タンク２，３への浄水の供給と停止を行う第１、第２供給弁１１、１２が設けられている。
これら上記第１、第２供給弁１１，１２は制御手段によって交互に開閉されるようになっており、たとえば第１供給弁１１を開放して第１混合タンク２に浄水や透析原液を送液する際、第２供給弁１２は閉鎖されるようになっている。
そして、上記Ａ液通路６、Ｂ液通路７、洗浄液通路８にはそれぞれ第３〜第５供給弁１３〜１５と、第１〜第３注入ポンプ１６〜１８とが設けられている。
透析液調製時には第３、第４供給弁１３，１４を開放すると共に第１、第２注入ポンプ１６，１７を作動させることで、Ａ液、Ｂ液をそれぞれ上記給水通路５の浄水に所定量ずつ混入させて上記第１、第２混合タンク２，３に供給するようになっている。
また洗浄液調製時には、第５供給弁１５を開放すると共に第３注入ポンプ１８を作動させることで、洗浄液を給水通路５の浄水に混入させて上記第１、第２混合タンク２，３に供給するようになっている。
【０００８】
上記第１、第２混合タンク２，３および上記貯液タンク４の間には、それぞれ第１、第２補給通路１９、２０が配設されており、各混合タンク２，３と貯液タンク４とを連通させている。
本実施例では上記第１、第２給水通路５Ａ，５Ｂの一部と第１、第２補給通路１９、２０の一部とは共通の通路を形成しており、具体的には第１混合タンク２の底部に接続した第１補給通路１９に第１給水通路５Ａを合流させ、第２混合タンク３の底部に接続した第２補給通路２０に第２給水通路５Ｂを合流させて、各通路を構成している。
上記第１、第２補給通路１９、２０における第１、第２給水通路５Ａ，５Ｂとの合流位置よりも下流側には、それぞれ弁手段として第１、第２三方弁２１，２２が設けられている。
上記第１、第２三方弁２１，２２の流入側はそれぞれ第１、第２補給通路１９，２０を介して第１、第２混合タンク２，３に連通され、２つの流出側のうちの一方が、引き続き第１、第２補給通路１９，２０を介して貯液タンクに連通されている。また他方の流出側には排液通路２３が接続されている。
このような第１、第２三方弁２１，２２は、流入側といずれか一方の流出側とを選択的に連通させることができるとともに、いずれにも連通させない閉鎖状態とすることが可能で、制御手段によりこれら流路を切り換えるようになっている。
上記第１、第２補給通路１９，２０の流路径は、後述する貯液タンク４に接続された透析液通路２５の流路径よりも大きく設定されており、このため第１、第２補給通路１９，２０を流通する透析液の流量は、透析液通路２５を流通する透析液の流量よりも大きくなっている。
上記排液通路２３は上記第１、第２三方弁２１，２２との接続位置よりも下流側で一本に合流されて図示しない排液管に接続されるとともに、合流位置よりも下流側には第１排液弁２４が設けられている。
上記第１、第２三方弁２１，２２は上記制御手段の制御によって、各混合タンク２，３と貯液タンク４との連通を交互に切り換えられるようになっており、たとえば第１三方弁２１を貯液タンク４と連通するよう切り換えて、第１混合タンク２から貯液タンク４に透析液を補給する間、第２三方弁２２を閉鎖状態とすることで第２混合タンク３にて透析液の調製を行うことができるようになっている。
また、たとえば第２混合タンク３で調製した透析液の濃度が不良の場合には、制御手段によって第１三方弁２２の流路を貯液タンク４とは連通させずに、排液通路２３と連通させるよう切り換え、さらに第１排液弁２４を開放して不良透析液を排液通路２３から排液管へと排出できるようになっている。
【０００９】
上記貯液タンク４には、下流側の各透析用監視装置に透析液を送液するための透析液通路２５が接続されている。
上記透析液通路２５には、給液ポンプ２７と第６給液弁２８とが設けられ、透析液を送液する場合には、上記第６給液弁２８を開放すると共に上記給液ポンプ２７を作動させるようになっている。
上記透析液通路２５は、上記給液ポンプ２７の手前で分岐通路２６により分岐され、第１排液弁２４の下流位置で上記排液通路２３と合流されており、この分岐通路２６には第２排液弁２９が設けられている。
透析液供給装置１の洗浄時には、上記第１、第２混合タンク２，３より貯液タンク４に洗浄液を供給し、上記第６給液弁２８を閉鎖して第２排液弁２９を開放することで、洗浄液を上記分岐通路２６および排液通路２３を介して排液管に排出するようになっている。
なお、透析液を透析用監視装置に送液する場合と同様にして、上記第６給液弁２８を開放すると共に上記給液ポンプ２７を作動させて、貯液タンク４から各透析用監視装置へ、一定の流量で洗浄液を送液することも可能である。
【００１０】
上記第１、第２混合タンク２，３は容量が同一であって、同一の構成を有しており、以下第１混合タンク２について説明し、第２混合タンク３についての説明を省略する。なお、第２混合タンク３を構成する部材の名称については、第１混合タンク２を構成する部材の先頭の第１を第２へと変更し、その符号を２から３に変更して説明する。
第１混合タンク２は、透析液を貯留する第１容器２ａと、浄水、Ａ液、Ｂ液を所定の経路で循環させる第１攪拌通路２ｂと、第１攪拌通路２ｂに設けられた第１攪拌ポンプ２ｃと、第１攪拌通路２ｂに設けられて透析液の濃度を測定する第１濃度計２ｄと、第１容器２ａ内の液面の高さを検出する第１フロートスイッチ２ｅとを備えている。
第１容器２ａの底部には上記第１給水通路５Ａ（第１補給通路１９）が接続されており、浄水等は上記第１給水通路５Ａを介して下方から供給され、また第１容器２ａ内で調製された透析液は自重により第１補給通路１９を介して排出されるようになっている。
上記第１攪拌通路２ｂは第１容器２ａの側面と上記第１給水通路５Ａの第１供給弁１１よりも下流側とにわたって設けられており、上記第１容器２ａ内の液面が上昇して第１攪拌通路２ｂの接続位置よりも高くなると、上記第１攪拌ポンプ２ｃが作動して第１容器２ａから第１給水通路５Ａに向けて浄水等を送液し、これらを循環させながら攪拌するようになっている。
また、この間に上記第１濃度計２ｄで透析液の濃度を測定するようになっており、調製された透析液の濃度に異常が検出された場合、制御手段は上記第１三方弁２１を切り換えて、この透析液を不良透析液として上記排液通路２３を介して排液管に排出するようになっている。
上記第１フロートスイッチ２ｅは垂直方向に設けられた第１バー２ｆと、当該第１バー２ｆに沿って上下動可能に設けられると共に、透析液よりも比重の軽い第１フロート２ｇと、上記第１バー２ｆの上方および下方に設けられた第１近接スイッチ２ｈとから構成されている。
これら上下の第１近接スイッチ２ｈの信号は、制御手段に入力されるようになっており、第１容器２ａ内の透析液が増加して液面が上昇し、第１フロート２ｇが下方の第１近接スイッチ２ｈから離脱すると、制御手段はそこから所定時間経過後に液面が第１攪拌通路２ｂの接続位置を越えたものと判断し、上記第１攪拌ポンプ２ｃを作動させるようになっている。
また第１容器２ａ内の液面がさらに上昇して第１フロート２ｇが上方の第１近接スイッチ２ｈに接触すると、制御手段は第１容器２ａ内に所定量の透析液が貯留されたものと判断し、上記第１給水通路５Ａの第１供給弁１１を閉鎖して、これ以上の浄水の供給を停止させるとともに、上記第１三方弁２１を切り換えて貯液タンク４と連通させ、透析液を貯液タンク４へと送液するようになっている。
【００１１】
上記貯液タンク４は透析液を貯留する第３容器４ａと、第３容器４ａ内の透析液の液面高さを検出する第３フロートスイッチ４ｂとを備えている。
第３容器４ａは上部が閉鎖されるとともに内部に透析液を充満させて収容可能に構成され、その容量は、上部天面まで液面が達する充満状態において、上記第１、第２混合タンク２，３に貯留可能な透析液の収容量の合計よりも少なく設定され、貯液タンク４の小型化が図られている。
第３容器４ａの上部には上記第１、第２補給通路１９、２０が接続され、内部には第１、第２補給通路１９、２０に接続されるとともに第３容器４ａの下部底面付近まで延長された第１、第２送液パイプ１９ａ、２０ａが設けられている。また、第３容器４ａの下部には、上記透析液通路２５が接続されている。
本実施例では後述するように、第１、第２混合タンク２，３のいずれか一方と貯留タンク４とを連通させた状態で、第３容器４ａが満杯状態となって、入りきらない透析液を、貯液タンク４（第３容器４ａ）と第１補給通路１９および第１混合タンク２とに、もしくは第２補給通路２０および第２混合タンク２とに亘って貯留するようになっている。
これら貯液タンク、第１補給通路１９（第２補給通路２０）および第１混合タンク２（第２混合タンク２）に貯留された透析液は上記透析液通路２５を介して透析液が供給されることに伴って減少してゆくが、上述したように第１補給通路１９、第２補給通路２０における透析液の流量は、透析液通路２５における透析液の流量よりも大きいため、第１混合タンク２、第２混合タンク３に貯留された透析液は途切れることなく貯液タンク４に補給される。
上記第３フロートスイッチ４ｂは垂直方向に設けられた第３バー４ｃと、当該第３バー４ｃに沿って上下動可能に設けられると共に透析液よりも比重の軽い第３フロート４ｄと、上記第３バー４ｃの上方および下方に設けられた第３近接スイッチ４ｅとから構成されている。
第３近接スイッチ４ｅのうち、上方に位置する第３近接スイッチ４ｅは第３容器４ａの上部よりも所定距離下方に設けられており、このため第３容器４ａ内の透析液が満杯状態となると、第３フロート４ｄは上方の第３近接スイッチ４ｅによりその上昇が妨げられるようになっている。
そして満杯状態から透析液が減少し、液面が上方の第３近接スイッチ４ｅよりも下方に下がると、第３フロート４ｄが上方の第３近接スイッチ４ｅから離脱し、制御手段はこれにより第３容器４ａ内の透析液が所定量以下に減少したことを認識できるようになっている。
さらに透析液が減少して、液面が下方の第３近接スイッチ４ｅまで下った状態では、第３フロート４ｄが下方の第３近接スイッチ４ｅに接触し、制御手段はこれにより第３容器４ａ内の透析液が空になる寸前であると認識し、警報を発するようになっている。
【００１２】
上記構成を有する透析液供給装置１の動作について説明する。図２は上記第１、第２混合タンク２，３および貯液タンク４内の透析液の容量の変化を時系列的に示した図となっている。ここで第１、第２混合タンク２，３と貯液タンク４の間の第１、第２補給通路１９，２０には第１、第２三方弁２１，２２を示すと共に、貯液タンク４との連通状態を○×で示している。
以下の説明では、一例として第１、第２混合タンク２，３の第１、第２容器２ａ、３ａの容量をそれぞれ１６Ｌ、貯液タンク４の第３容器４ａの容量を２５Ｌとしており、第１、第２補給通路１９，２０については、便宜上内部容積量を無視している。
また給水通路５では定流量弁１０によって、供給される浄水を２６Ｌ／ｍｉｎで流通させるようになっており、また透析液通路２５では給液ポンプ２７が２５Ｌ／ｍｉｎの割合で透析液を送液するようになっている。
さらに、調製される透析液の混合比は、浄水：Ａ液：Ｂ液＝３２．７４：１：１．２６となっており、給水通路５では浄水：２６．０Ｌに対しＡ液：０．８Ｌ、Ｂ液：１．０Ｌの割合で注入されるようになっている。これにより、給水通路５による第１、第２混合タンク２，３への供給流量は２７．８Ｌ／ｍｉｎとなる。
【００１３】
最初に、図２（ａ）は透析液供給装置１による透析液供給前の準備状態を示しており、上記第１混合タンク２には７Ｌの透析液が、第２混合タンク３には１６Ｌの透析液が、貯液タンク４には２５Ｌの透析液が貯留され、第１三方弁２１は連通され、第２三方弁２２は閉鎖されている。
この状態とするには、最初に第２混合タンク３で透析液を１６Ｌ調製してこの透析液を貯液タンク４に送液し、次に第１混合タンク２で透析液を１６Ｌ調製してこの透析液を貯液タンク４に送液し、さらに第２混合タンク３で透析液を１６Ｌ調製する。
このとき、貯液タンク４の第３容器４ａの容量は２５Ｌであるため、第１混合タンク２で調製された透析液の全てを貯液タンク４に収容させることはできず、貯液タンク４の内部はその上部天面まで液面が達して透析液が充満した満杯状態となっており、第１三方弁２１が開放されていることから、貯液タンク４に入りきらなかった透析液が第１補給通路１９および第１混合タンク２に亘って貯留されている。
その結果、図２（ａ）の状態では貯液タンク４には満杯となる２５Ｌの透析液が貯留され、第１混合タンク２には入りきらなかった７Ｌの透析液が貯留されているものとしている。
【００１４】
上記（ａ）の状態から、制御手段は第６供給弁２８を開放すると共に給液ポンプ２７を作動させて透析液通路２５を介して貯液タンク４の透析液を送液し、下流側に設けられた透析用監視装置への透析液の供給を開始する。
貯液タンク４から透析液通路２５を介して透析液を送液すると、貯液タンク４での透析液の減少に伴って透析液が第１混合タンク２から貯液タンク４へと流入する。
このとき、上述したように透析液通路２５における透析液の流量よりも第１補給通路１９における透析液の流量が大きくなるよう設定しているため、貯液タンク４から排出される透析液の流量と同量の透析液が第１混合タンク２から流入することとなり、第１混合タンク２から貯液タンク４への補給が途切れることはない。
【００１５】
（ｂ）は（ａ）の透析液の供給開始から２４秒後の状態を示しており、このとき第１混合タンク２と貯液タンク４とで貯留していた合計３２Ｌの透析液は、１０Ｌ減少して２２Ｌとなり、その結果第１混合タンク２の透析液は全て排出され、貯液タンク４の透析液は２２Ｌまで減少している。
その後、貯液タンク４の透析液の収容量が２２Ｌを下回ったことをフロートスイッチ４ｂで検出すると、制御手段は第１三方弁２１と第２三方弁２２を制御して連通状態を切り換え、第１補給通路１９を閉鎖させて第１混合タンク２と貯液タンク４の連通を解除すると共に、第２補給通路２０を開放させて第２混合タンク３と貯液タンク４とを連通させる。
【００１６】
（ｃ）は第１三方弁２１と第２三方弁２２とを切り換える切換作業完了時の状態を示しており、本実施例ではこの切換作業に４秒の時間を要することから、この状態では第２混合タンク３から貯液タンク４に約３Ｌの透析液が流入して、貯液タンク４は再び満杯状態となっているが、上記４秒の間に貯液タンク４からは１．６Ｌの透析液が排出されているため、第２混合タンク３と貯液タンク４とで合計３６．４Ｌの透析液が貯留され、貯液タンク４に入りきらずに第２混合タンク３に貯留される透析液は１１．４Ｌとなっている。
この（ｃ）の状態以降においても、貯液タンク４での透析液の減少に伴って透析液が第２混合タンク３から貯液タンク４へと流入し、第２混合タンク３から貯液タンク４への補給が途切れることはない。
また、一方の第１混合タンク２においては、第１三方弁２１と第２三方弁２２の切換作業が完了して第１補給通路１９が閉鎖されると、第１供給弁１１が開放されると共に第１、第２注入ポンプ１６，１７が作動されて、浄水、Ａ液、Ｂ液が第１給水通路５Ａから第１混合タンク２に供給され、透析液の調製が開始される。
【００１７】
（ｄ）は（ｃ）の状態から３４．６秒経過後の状態を示しており、この状態においては、第２混合タンク３と貯液タンク４とで貯留していた３６．４Ｌの透析液は１４．４Ｌ減少して２２Ｌとなり、その結果第２混合タンク３の透析液は全て排出され、貯液タンク４の透析液は２２Ｌとなっている。
一方、このとき第１混合タンク２にはすでに１６Ｌの透析液が調製されて貯留されている。
その後、貯液タンク４の透析液の収容量が２２Ｌを下回ったことをフロートスイッチ４ｂで検出すると、制御手段は再び第１三方弁２１と第２三方弁２２とを制御して連通状態を切り換え、第２補給通路２０を閉鎖させて第２混合タンク３と貯液タンク４の連通を解除すると共に、第１補給通路１９を開放させて第１混合タンク２と貯液タンク４とを連通させる。
【００１８】
（ｅ）は第１三方弁２１と第２三方弁２２を切り換える切換作業完了時の状態を示しており、（ｃ）の場合と同様、この切換作業には４秒の時間を要することから、この状態では第１混合タンク２から貯液タンク４に約３Ｌの透析液が流入して、貯液タンク４は再び満杯状態となっているが、上記４秒の間に貯液タンク４からは１．６Ｌの透析液が排出されているため、第１混合タンク２と貯液タンク４とで合計３６．４Ｌの透析液を貯留し、貯液タンク４に入りきらずに第１混合タンク３に貯留される透析液は１１．４Ｌとなっている。
また、一方の第２混合タンク３においては、第１三方弁２１と第２三方弁２２の切換作業が完了して第２補給通路２０が閉鎖されると、第２供給弁１２が開放されて、浄水、Ａ液、Ｂ液が第２給水通路５Ｂから第２混合タンク３に供給され、透析液の調製が開始される。
そしてこの（ｅ）の状態からさらに３４．６秒経過すると、第１混合タンク２と貯液タンク４で貯留していた３６．４Ｌの透析液は１４．４Ｌ減少して２２Ｌとなり、一方の第２混合タンク３にはすでに１６Ｌの透析液が調製されて貯留されるため、（ｂ）と同じ状態となる。
そして、以後（ｂ）から（ｅ）の状態が繰り返されることにより、透析液通路２５を介して連続して透析液を透析用監視装置に送液することができるようになっている。
なお、上記説明では常時２５Ｌ／ｍｉｎの割合で貯液タンク４から透析液が送液される場合について説明したが、下流側に設置される透析用監視装置の使用台数および使用状態によっては、これよりも少量となり送液量は２５Ｌ／ｍｉｎ以下の範囲で変動することがある。しかしながら、その場合においても、貯液タンク４における透析液の減少に要する時間が長くなるだけであり、透析液供給装置１の動作自体には変更はない。
【００１９】
そして透析液の調製中に、たとえば第１混合タンク２の第１濃度計２ｄにより第１攪拌通路２ｂを流通する透析液の濃度に異常を検出した場合は、制御手段は第１三方弁２１を制御して排液通路２３と連通させるとともに第１排液弁２４を開放し、この不良透析液を排液通路２３を介して排出するようになっている。
このとき不良な透析液が排液通路２３に排液されて、次に補給する透析液はなくなるが、貯液タンク４における第３容器４ａの容量は少なくとも第１、第２混合タンク２，３の１つ分の容量が確保されているので、次に第２混合タンク３から透析液が補給されるまでの間、貯液タンク４内の全ての透析液が消費されることがないようになっている。
なお、各透析用監視装置の洗浄時に、洗浄液を供給する場合も、上記透析液を供給する場合と同様にして供給することができる。
【００２０】
上記実施例のように、上記第１三方弁２１によって貯液タンク４と第１混合タンク２を連通させて、透析液を第１混合タンク２と第１補給通路１９と貯液タンク４とにわたって貯溜し、また、第２三方弁２２によって貯液タンク４と第２混合タンク３を連通させて、透析液を第２混合タンク３と第２補給通路２０と貯液タンク４とにわたって貯留する。
これにより、貯液タンク４の容量を第１、第２混合タンク２，３を合計した容量より少なく、設定しても安定的に透析液を供給することができ、貯液タンク４の容量を小さくして透析液供給装置１を小型化することができる。また、透析液の供給能力の高能力化を図った場合に、装置の大型化を抑えることが可能である。
なお、上記実施例における第１、第２混合タンク２，３、貯液タンク４の容量、ならびに透析液通路２５における透析液の流量などの数値はあくまで一例であり、他の設定も可能であることはいうまでもない。
【図面の簡単な説明】
【００２１】
【図１】本実施例にかかる透析液供給装置の概略図。
【図２】透析液供給装置における第１、第２混合タンクおよび貯液タンク内の透析液の状態を時系列的に表示した図。
【符号の説明】
【００２２】
１  透析液供給装置                  ２  第１混合タンク
３  第２混合タンク                  ４  貯液タンク
１９  第１補給通路                  ２０  第２補給通路
２１  第１三方弁                    ２２  第２三方弁
【図１】
2008168078.tif 000003
【図２】
2008168078.tif 000004